(57)【要約】【課題】操作性の良い撮影装置を提供すること。【解決手段】筐体と、前記筐体の第１の側面に設けられ、レンズの取り付けが可能なレンズ取り付け部と、前記レンズ取り付け部への前記レンズの取り付け位置に対応した指標とを備え、前記指標は、前記筐体の前記第１の側面とは反対側の第２の側面に表されていることを特徴とする撮影装置。【選択図】図８
2012165183.tif 000002
【特許請求の範囲】
【請求項１】
筐体と、
前記筐体の第１の側面に設けられ、レンズの取り付けが可能なレンズ取り付け部と、
前記レンズ取り付け部への前記レンズの取り付け位置に対応した指標とを備え、
前記指標は、前記筐体の前記第１の側面とは反対側の第２の側面に表されていることを特徴とする撮影装置。
【請求項２】
請求項１に記載の撮影装置であって、
前記指標は所定の方向を示す線状の形状で表されていることを特徴とする撮影装置。
【請求項３】
請求項１または２に記載の撮影装置であって、
前記第２の側面に画像を表示するための表示部を備え、前記指標は前記表示部の外側に表されていることを特徴とする撮影装置。
【請求項４】
請求項１または２に記載の撮影装置であって、
前記第２の側面に画像を表示するための表示部を備え、前記指標は前記表示部に表示されたものであることを特徴とする撮影装置。
【請求項５】
請求項４に記載の撮影装置であって、
前記筐体の姿勢を検知する検知手段と、
前記検知手段が検知した前記筐体の姿勢情報を記憶する記憶部と、
前記レンズ取り付け部から前記レンズが取り外された時に前記記憶部が記憶した前記レンズが取り外された時の前記筐体の姿勢情報を、その後の前記筐体の姿勢変化に応じて修正し、該修正した姿勢情報に基づいて前記指標を前記表示部に表示する制御部とを備えたことを特徴とする撮影装置。
【発明の詳細な説明】
【技術分野】
【０００１】
本発明は、レンズ交換が可能なマウントを備えた撮影装置に関する。
【背景技術】
【０００２】
従来、カメラ本体への撮影レンズの取り付けは、一方の手で撮影レンズを持ち、他方の手でカメラ本体を持ち、撮影レンズをカメラ本体の正面側に配置し、撮影レンズ側の着脱指標をカメラ本体側の着脱指標の位置に目視にて合わせ、撮影レンズ側のマウントとカメラ本体側のマウントとを係合させることによって行っている。カメラ本体側の着脱指標は、カメラ本体の正面のマウント近傍に設けられている（例えば、特許文献１参照）。
【先行技術文献】
【特許文献】
【０００３】
【特許文献１】特開平１０−２０３８４号公報
【発明の概要】
【発明が解決しようとする課題】
【０００４】
カメラ本体側の着脱指標はカメラ本体の正面に設けられているため、撮影レンズ側の着脱指標をカメラ本体側の着脱指標の位置に合わせるには、一方の手で持った撮影レンズを他方の手で持ったカメラ本体の正面に配置した状態で、撮影レンズ側の着脱指標とカメラ本体側の着脱指標の双方を目視するためにカメラ本体の正面側を覗き込むように見なければならず、見にくいといったことがある。
【０００５】
本発明はこのような状況に鑑みてなされたものであり、操作性の良い撮影装置を提供することを目的とする。
【課題を解決するための手段】
【０００６】
本発明は、以下のような解決手段により、前記課題を解決する。なお、理解を容易にするために、本発明の実施の形態に対応する符号を付して説明するが、これに限定されるものではない。すなわち、請求項１の発明は、筐体（４）と、前記筐体の第１の側面（７）に設けられ、レンズ（１０）の取り付けが可能なレンズ取り付け部（１３）と、前記レンズ取り付け部への前記レンズの取り付け位置に対応した指標（４０ａ、４０ｂ、５２、６４、７０）とを備え、前記指標は、前記筐体の前記第１の側面とは反対側の第２の側面（３４）に表されていることを特徴とする撮影装置である。
【０００７】
請求項２の発明は、請求項１に記載された撮影装置であって、前記指標は所定の方向を示す線状の形状で表されていることを特徴とする撮影装置である。
【０００８】
請求項３の発明は、請求項１または２に記載の撮影装置であって、前記第２の側面に画像を表示するための表示部（３７）を備え、前記指標（４０ａ、４０ｂ、５２）は前記表示部の外側に表されていることを特徴とする撮影装置である。
【０００９】
請求項４の発明は、請求項１または２に記載の撮影装置であって、前記第２の側面に画像を表示するための表示部（３７）を備え、前記指標（６４、７０）は前記表示部に表示されたものであることを特徴とする撮影装置である。
【００１０】
請求項５の発明は、請求項４に記載された撮影装置であって、前記筐体の姿勢を検知する検知手段（５８、６１）と、前記検知手段が検知した前記筐体の姿勢情報を記憶する記憶部（６２）と、前記レンズ取り付け部から前記レンズが取り外された時に前記記憶部が記憶した前記レンズが取り外された時の前記筐体の姿勢情報を、その後の前記筐体の姿勢変化に応じて修正し、該修正した姿勢情報に基づいて前記指標（７０）を前記表示部に表示する制御部（５５）とを備えたことを特徴とする撮影装置である。
【発明の効果】
【００１１】
本発明によれば、操作性の良い撮影装置を提供することができる。
【図面の簡単な説明】
【００１２】
【図１】（ａ）は、第１実施形態に係る撮影装置のボディ部の正面図であり、（ｂ）は、撮影レンズの後方からの斜視図である。
【図２】第１実施形態に係るカメラの背面図である。
【図３】レンズとカメラのボディ部との取り付け方法を示す図である。
【図４】第２実施形態に係るカメラの背面図である。
【図５】（ａ）は従来のカメラの主要な構成を示すブロック図であり、（ｂ）は、第３実施形態に係るカメラの主要な構成を示すブロック図である。
【図６】第３実施形態に係るカメラの背面図である。
【図７】レンズが三脚に取り付けられている状態を示す図である。
【図８】第３実施形態において、レンズとカメラのボディ部との取り付け方法を示す図である。
【図９】第３実施形態の変形例に係る撮影装置のＬＣＤ表示部の表示を示す図である。
【発明を実施するための形態】
【００１３】
以下、本発明の実施形態について図面を参照しつつ説明する。なお、本明細書では、カメラ本体の方向については、撮影レンズを取り付ける側の面を正面とし、正面と反対側の面を背面とする。また、前後方向、左右方向、および上下方向は、原則として撮影者が通常にカメラを水平に構えた状態において、撮影者から見た方向についていう。
【００１４】
図１（ａ）は、第１実施形態に係る撮影装置のボディ部の正面図であり、図１（ｂ）は、撮影レンズの後方からの斜視図である。
【００１５】
本実施形態に係る撮影装置は、撮影レンズの交換が可能なデジタルカメラ（以下、カメラと略記する）１０１である。カメラ１０１は、筐体であるボディ部４を本体とし、ボディ部４の正面７には撮影レンズ１０を取り付けるためのマウント１３が設けられている。マウント１３の中心軸は、撮影レンズ１０に備えられた光学系２５の光軸Ｌと一致している。
【００１６】
ボディ部４の正面７にはレンズ着脱指標１６が設けられている。レンズ着脱指標１６は、撮影レンズ１０をボディ部４に取り付ける際、ボディ部４側のマウント１３における撮影レンズ１０の取り付け位置を示す目印である。レンズ着脱指標１６は、水平状態のボディ部４を正面７側から見てマウント１３の右上の位置に設けられている。詳しく説明するとレンズ着脱指標１６は次の位置に設けられている。すなわち、通常にカメラ１０１を水平に構えた状態のボディ部４を正面７側から見て、マウント１３の中心である光軸Ｌを垂直方向に通る軸をｖとし、光軸Ｌを回転中心として軸ｖを光軸Ｌの周方向に時計周りに角度ａ回転させた状態の軸ｖ´上であって、マウント１３の外周よりも外側に設けられている。なお、レンズ着脱指標１６はボディ部４に形成された凹部または凸部にボディ部４の色とは異なる着色を施したものであっても良いし、ボディ部４の表面に印刷によって表されたものであっても良い。また、レンズ着脱指標１６は、後述する各実施形態および変形例においても同様の構成であり、同様の位置に形成されている。
【００１７】
撮影レンズ（以下、単に「レンズ」と略記する）１０は、図１（ｂ）に示すように、鏡筒２２と、鏡筒２２の内部に配置された光学系２５とを含む。鏡筒２２の一方側の端部にはマウント２８が形成されている。マウント２８の外周面には着脱指標３１が設けられている。着脱指標３１は、レンズ１０をボディ部４に取り付ける際に、ボディ部４側のマウント１３におけるレンズ１０の取り付け位置にレンズ１０自体の位置を合わせるための目印である。なお、着脱指標３１はマウント２８に形成された凹部にマウント２８の色とは異なる色で着色を施したものであっても良いし、マウント２８の表面に印刷等によって表されたものであっても良い。ボディ部４へのレンズ１０の取り付けは、ボディ部４側のレンズ着脱指標１６の位置にレンズ１０側の着脱指標３１を合わせて、レンズ１０側のマウント２８とボディ部４側のマウント１３とを係合させることによってなされる。
【００１８】
図２は、第１実施形態に係るカメラ１０１の背面図である。
【００１９】
カメラ１０１のボディ部４の背面３４には、撮影画像を表示するためのＬＣＤ表示部３７が設けられている。ＬＣＤ表示部３７は長方形であり、背面３４の中央部に設けられている。また、ボディ部４の背面３４には一対の指標４０ａ、４０ｂが表示されている。一対の指標４０ａ、４０ｂはＬＣＤ表示部３７の外縁よりも外側であって、ＬＣＤ表示部３７の一つの対角線の両端近傍に一つずつ表示されている。本実施形態では、図２に示すように、ＬＣＤ表示部３７の左上側に指標４０ａが表示され、右下側に指標４０ｂが表示されている。本実施形態では一対の指標４０ａ、４０ｂはボディ部４の背面３４に印刷によって表されているが、ボディ部４に形成された凹部または凸部にボディ部４の色とは異なる着色を施したものであっても良い。一対の指標４０ａ、４０ｂは、それぞれが短い直線状に形成され、指標４０ａと４０ｂとを結ぶと一本の直線になる。つまり指標４０ａと４０ｂとは一本の直線に沿って形成されている。一対の指標４０ａ、４０ｂを結ぶ直線は、上記に述べた軸ｖ´と一致している。詳しく説明すると、通常に水平に構えた状態のカメラ１０１を後方側から見て、上記に述べた軸ｖを垂直状態からマウント１３の中心、すなわち光軸Ｌを回転中心として、光軸Ｌの周方向に反時計周りに角度ｂ回転させた状態の軸ｖ´と一致している。ここで角度ｂは角度ａと同じ角度である。
【００２０】
このような構成なので、後方側からボディ部４の背面３４を見ると、一対の指標４０ａ、４０ｂを結ぶ直線はボディ部４の正面７側のレンズ着脱指標１６が位置している方向を示し、当該直線上にレンズ着脱指標１６が対応して位置している。したがって、背面３４側の一対の指標４０ａ、４０ｂを見れば、ボディ部４の正面７側のレンズ着脱指標１６が設けられている方向および角度位置がわかる。レンズ着脱指標１６の角度位置がわかれば、ボディ部４の正面７を覗き込んでレンズ着脱指標１６を確認しなくても、背面３４側からレンズ１０の取り付け位置を確認することができる。なお、一対の指標４０ａ、４０ｂはそれぞれが直線状の形状なので、右下側の指標４０ｂを表示せずに左上側の指標４０ａだけでもレンズ着脱指標１６の方向および角度位置はわかるが、本実施形態のように右下側の指標４０ｂも表示されている方がよりわかり易い。
【００２１】
図３は、レンズ１０とカメラ１０１のボディ部４との取り付け方法を示す図である。
【００２２】
撮影者は一方の手４３でレンズ１０を持ち、他方の手４６でボディ部４を持ち、他方の手４６で持ったボディ部４の後方側からボディ部４の背面３４に設けられた一対の指標４０ａ、４０ｂとレンズ１０側の着脱指標３１の位置とを目視する。そして一対の指標４０ａ、４０ｂを結ぶ直線上にレンズ１０側の着脱指標３１が位置するように、レンズ１０またはボディ部４を光軸Ｌの周方向に回転させる。一対の指標４０ａ、４０ｂを結ぶ直線上にレンズ１０側の着脱指標３１が位置したら、レンズ１０とボディ部４との相互の角度位置を保ったままレンズ１０側のマウント２８とボディ部４側のマウント１３とを係合させる。
【００２３】
なお、一対の指標４０ａ、４０ｂを結ぶ直線が水平となるようにボディ部４を傾けて持てば、より容易に一対の指標４０ａ、４０ｂを結ぶ直線上にレンズ１０側の着脱指標３１を位置させることができる。具体的には、指標４０ａを左方側に、指標４０ｂを右方側に位置させて、一対の指標４０ａ、４０ｂを結ぶ直線が水平となるようにボディ部４を傾けて持つ。そしてレンズ１０側のマウント２８をボディ部４のマウント１３に対向するように位置させた状態で、レンズ１０側の着脱指標３１が光軸Ｌの左側となるようにレンズ１０を光軸Ｌの周方向に回転させる。レンズ１０側の着脱指標３１が光軸Ｌの左側に位置したら、レンズ１０とボディ部４との相互の角度位置を保ったままレンズ１０側のマウント２８とボディ部４側のマウント１３とを係合させる。
【００２４】
あるいは、指標４０ａを上方側に、指標４０ｂを下方側に位置させて、一対の指標４０ａ、４０ｂを結ぶ直線が垂直となるようにボディ部４を傾けて持っても良い。この場合は、レンズ１０側のマウント２８をボディ部４のマウント１３に対向するように位置させた状態で、レンズ１０側の着脱指標３１が光軸Ｌの上側となるようにレンズ１０を光軸Ｌの周方向に回転させれば良い。
【００２５】
このように、本実施形態によれば、レンズ１０をボディ部４に取り付ける際、レンズ１０をボディ部４の正面７に位置させた状態で、ボディ部４の正面７側を覗き込まなくても、ボディ部４の背面３４側からボディ部４側のマウント１３へのレンズ１０の取り付け位置を確認することができる。
【００２６】
次に第２実施形態について説明する。第２実施形態は第１実施形態と異なる構成を中心に説明し、同様の構成については同じ符号を用いて説明する。
【００２７】
図４は、第２実施形態に係るカメラ２０１の背面図である。図４に示すように、本実施形態に係るカメラ２０１は、背面３４側から見てボディ部４の左下の角部を斜めに切り欠いた形状になっている。切り欠いた形状の切り口には傾斜面４９が形成されている。傾斜面４９の背面３４側の辺５２は、ボディ部４の正面７側のレンズ着脱指標１６とマウント１３の中心、すなわち光軸Ｌとを結ぶ直線と平行になるように形成されている。ボディ部４の切り欠いた部分の形状をこのように形成することにより、傾斜面４９の背面３４側の辺５２を平行移動したとすると、辺５２が光軸Ｌを通る位置において、辺５２の延長線上に正面７側のレンズ着脱指標１６が対応して位置することとなる。したがって、撮影者は傾斜面４９の背面３４側の辺５２から、ボディ部４の正面７のレンズ着脱指標１６が設けられている方向および角度位置がわかる。すなわち、ボディ部４を背面３４側から見て、ＬＣＤ表示部３７の左上部近傍の対応した位置にレンズ着脱指標１６が位置しているとわかる。
【００２８】
本実施形態においては、レンズ１０の取り付けの際は、傾斜面４９の辺５２が水平となるようにボディ部４を傾けて持つとレンズ１０の取り付け位置がわかり易い。具体的には、辺５２が下方側で水平となるようにボディ部４を傾けて持つ。そしてレンズ１０側のマウント２８をボディ部４のマウント１３に対向するように位置させた状態で、レンズ１０側の着脱指標３１が光軸Ｌの左側となるようにレンズ１０を光軸Ｌの周方向に回転させる。レンズ１０側の着脱指標３１が光軸Ｌの左側に位置したら、レンズ１０とボディ部４との相互の角度位置を保ったままレンズ１０側のマウント２８とボディ部４側のマウント１３とを係合させる。
【００２９】
あるいは、辺５２が左方側で垂直となるようにボディ部４を傾けて持っても良い。この場合は、レンズ１０側のマウント２８をボディ部４のマウント１３に対向するように位置させた状態で、レンズ１０側の着脱指標３１が光軸Ｌの上側となるようにレンズ１０を光軸Ｌの周方向に回転させれば良い。
【００３０】
このように、本実施形態においても、レンズ１０をボディ部４の正面７に位置させた状態で、ボディ部４の正面７を覗き込んで正面７のレンズ着脱指標１６を確認しなくても、ボディ部４の背面３４側からボディ部４側のマウント１３へのレンズ１０の取り付け位置を確認することができる。
【００３１】
以上説明した第１および第２実施形態は、背面３４にＬＣＤ表示部３７を有するカメラ１０１、２０１を例として説明したが、ＬＣＤ表示部３７を有していないカメラに適用しても同様の効果を発揮する。
【００３２】
次に第３実施形態について説明する。第３実施形態は、第１および第２実施形態と同様の構成については、同じ符号を用いて説明する。
【００３３】
図５（ａ）は従来のカメラの主要な構成を示すブロック図であり、図５（ｂ）は第３実施形態に係るカメラ３０１の主要な構成を示すブロック図である。図６は、第３実施形態に係るカメラ３０１の背面図である。
【００３４】
図５（ｂ）に示すように、第３実施形態のカメラ３０１は、従来（図５（ａ）参照）と同様にＣＰＵ５５およびＬＣＤ表示部３７を備え、さらに加速度センサ５８と磁界方位センサ６１とを備えている。加速度センサ５８および磁界方位センサ６１はボディ部４の姿勢を検出するために備えられている。また、カメラ３０１は、加速度センサ５８および磁界方位センサ６１からのデータを記憶する記憶部６２を備えている。加速度センサ５８および磁界方位センサ６１は、それぞれＣＰＵ５５に接続されている。
【００３５】
加速度センサ５８は静的加速度を検出することができるタイプのものであり、ＣＰＵ５５は検出された静的加速度から、水平方向を向いた光軸Ｌに対するボディ部４の光軸Ｌ周り方向の傾き方向および傾き角を検出する。つまり、光軸Ｌが水平となるように撮影者が通常にカメラ３０１を構えた状態におけるボディ部４の姿勢に対し、ボディ部４が光軸Ｌを中心軸として水平に対してどの方向にどれだけ回転している状態なのか、その回転方向および回転角を算出する。
【００３６】
一方、磁界方位センサ６１は地磁気の磁界の方向を検出し、ＣＰＵ５５は検出された磁界の方向から、垂直方向を向いた光軸Ｌに対するボディ部４の光軸Ｌ周り方向の傾き方向および傾き角を算出する。つまり、撮影者が通常にカメラ３０１を水平に構えた状態から、光軸Ｌが垂直となるようにカメラ３０１を真下（または真上）方向を向けた状態において、ボディ部４が光軸Ｌを中心軸としてどの方向にどれだけ回転している状態なのか、その方位および方位角を算出する。このように、加速度センサ５８および磁界方位センサ６１によって、水平方向あるいは垂直方向を向いた光軸Ｌに対する光軸Ｌ周り方向のボディ部４の傾き、すなわち姿勢を検出している。
【００３７】
本実施形態に係るカメラ３０１は、図６に示すように、背面３４のＬＣＤ表示部３７に指標６４および指標７０の２つの指標が表示される。第１の指標６４は矢印であり、矢印の向きは固定されて表示されている。矢印の軸６７は光軸Ｌを始点として光軸Ｌと直角に交差する方向に伸びて表示され、第１実施形態で述べた軸ｖ´と一致している。つまり、カメラ３０１を後方側から見て、光軸Ｌを垂直方向に通る軸を軸ｖとし、軸ｖを垂直状態からマウント１３の中心、すなわち光軸Ｌを回転中心として光軸Ｌの周方向に反時計周りに角度ｂ回転させた状態の軸ｖ´と一致している。ここで角度ｂは第１実施形態で述べた角度ａと同じ角度である。
【００３８】
このような構成なので、第１の指標６４の矢印が指示している方向がボディ部４の正面７のレンズ着脱指標１６が設けられた方向となる。すなわち、後方側からボディ部４の背面３４を見て、第１の指標６４の矢印が指示する方向に当該矢印を延長すると、その延長線上に正面７側のレンズ着脱指標１６が対応して位置することとなる。したがって、背面３４側の第１の指標６４を見れば、ボディ部４の正面７側のレンズ着脱指標１６が設けられている方向および角度位置がわかる。
【００３９】
本実施形態においては、ＬＣＤ表示部３７にはさらに、第２の指標７０が表示される。第２の指標７０は、レンズ１０をマウント１３から取り外したときにボディ部４の正面７のレンズ着脱指標１６が位置していた方向を指示している。第２の指標７０も矢印であり、矢印の軸７３は光軸Ｌを始点として光軸Ｌと直角に交差する方向に伸びて表示されている。以下、第２の指標７０の表示について詳しく説明する。
【００４０】
本実施形態では、ＣＰＵ５５は、ボディ部４がどのような姿勢であっても、正面７側のレンズ着脱指標１６がどの方向に位置しているのかを把握している。記憶部６２にはレンズ着脱指標１６の位置を算出するための基準となる角度が予め記憶されており、ボディ部４の姿勢が変化すると、ＣＰＵ５５は、レンズ着脱指標１６の当該基準となる角度と、加速度センサ５８および磁界方位センサ６１が検知するボディ部４の姿勢とに基づいて、変化後の姿勢におけるレンズ着脱指標１６の位置を算出する。
【００４１】
レンズ着脱指標１６の基準となる角度は次の２つの角度である。１つは、光軸Ｌが水平となるように撮影者が通常にカメラ３０１を水平に構えた状態でのボディ部４の姿勢において、光軸Ｌとレンズ着脱指標１６とを結ぶ直線の水平に対する角度である。もう１つは、撮影者が真北を向き、通常にカメラ３０１を水平に構えた状態から、光軸Ｌが垂直となるようにカメラ３０１を真下（または真上）方向を向けた状態でのボディ部４の姿勢において、光軸Ｌを中心とする北に対する方位角である。ＣＰＵはこれらの角度を基準にして、レンズ着脱指標１６の現在の角度位置を把握している。なお、以後の説明においては、記憶部６２に予め記憶されたこれらのレンズ着脱指標１６の基準となる角度のことを、「基準角度」と略記する。
【００４２】
ボディ部４のマウント１３からレンズ１０を取り外すと、ボディ部４およびレンズ１０の図示しない接点どうしの接触が解かれ、このときの信号によりＣＰＵ５５はレンズ１０がボディ部４から取り外されたことを検知する。このとき、ボディ部４に内蔵された加速度センサ５８および磁界方位センサ６１によって、レンズ１０が取り外されたときのボディ部４の姿勢が検出される。つまり、光軸Ｌが水平となるようにしたボディ部４の状態に対し、ボディ部４が光軸Ｌを中心軸としてどの方向にどれだけ回転している状態なのか、あるいは光軸Ｌが垂直となるようにしたボディ部４の状態に対し、ボディ部４が光軸Ｌを中心軸としてどの方向にどれだけ回転している状態なのかを検出する。検出されたデータは、レンズ１０の取り外し時におけるボディ部４の姿勢データとして記憶部６２に記憶される。このときのボディ部４の姿勢を基準姿勢とする。ＣＰＵ５５は、記憶部６２に記憶された基準姿勢の姿勢データと基準角度とに基づき、レンズ１０が取り外されたときのレンズ着脱指標１６の角度位置を算出し、算出された角度位置を示す第２の指標７０を、ＬＣＤ表示部３７に表示する。また、ＣＰＵ５５は、第１の指標６４も同時に表示する。
【００４３】
レンズ１０をボディ部４のマウント１３から取り外した後にボディ部４の姿勢が変化すると、加速度センサ５８および磁界方位センサ６１によって、変化後の姿勢の姿勢データが検出される。ＣＰＵ５５は、記憶部６２に記憶された基準姿勢の姿勢データを変化後の姿勢の姿勢データに修正して変化後の姿勢データとする。そして変化後の姿勢データと基準角度と元の基準姿勢の姿勢データとに基づいて、第２の指標７０の表示を変化させる。すなわち、レンズ１０が取り外されたときのレンズ着脱指標１６の角度位置を示すように、第２の指標７０の表示を修正する。第２の指標７０の表示は、ボディ部４の姿勢の変化に対応して、光軸Ｌを中心にＬＣＤ表示部３７の画面の中を回転するように表示位置が変化することで修正される。このときのＬＣＤ表示部３７を撮影者から見ると、ボディ部４の姿勢の変化に伴ってＬＣＤ表示部３７の画面は回転するが、画面に表示された第２の指標７０は動かない。すなわち撮影者から見て同じ方向を指示したままである。つまり、第２の指標７０の表示位置はボディ部４の姿勢の変化に対応してＬＣＤ表示部３７の画面中において変化するが、実際に第２の指標７０が指示する方向は変化しない。
【００４４】
ボディ部４の姿勢がさらに変化すると、さらに変化した後の姿勢の姿勢データが検出され、ＣＰＵ５５は上記変化後の姿勢データをさらに変化した後の姿勢の姿勢データに修正する。そして、当該さらに変化した後の姿勢の姿勢データと基準角度と元の基準姿勢の姿勢データとに基づいて、第２の指標７０の表示をさらに変化させる。このときも上記と同様に、第２の指標７０は同じ方向を指示したままである。
【００４５】
このように、第２の指標７０は、レンズ１０をボディ部４のマウント１３から取り外した状態において、ボディ部４が水平方向および垂直方向に対してどの方向に傾いていても、レンズ１０をマウント１３から取り外したときにレンズ着脱指標１６が位置していた方向を指示している。つまり、ボディ部４の姿勢が変化しても、撮影者から見て常に同じ方向を指示するように、ボディ部４の姿勢の変化に対応して、光軸Ｌを回転中心としてＬＣＤ表示部３７の中を回転して表示される。
【００４６】
以下に、レンズ１０を取り外すときに、光軸Ｌが水平方向を向いている場合と垂直方向を向いている場合とについて、具体例を示して説明する。まず、光軸Ｌが水平方向を向いている場合について説明する。
【００４７】
図７は、レンズ１０が三脚７６に取り付けられている状態を示す図である。
【００４８】
図７に示すように、光軸Ｌが水平方向を向いている姿勢でカメラ３０１のボディ部４からレンズ１０を取り外す場合は、レンズ１０を取り外したときのボディ部４が、水平方向の光軸Ｌに対して光軸Ｌを中心軸としてどの方向にどれだけ回転しているのか、回転方向および回転量が加速度センサ５８によって検出される。検出されたデータはレンズ１０取り外し時の基準姿勢の姿勢データとして記憶部６２に記憶される。ＣＰＵ５５は、記憶された基準姿勢の姿勢データと基準角度とに基づいて第２の指標７０を表示する。この段階で、第２の指標７０と、ボディ部４の正面７側のレンズ着脱指標１６の角度位置を示す第１の指標６４とは、同じ方向を指示している。すなわち、２つの矢印は重なっている。その後ボディ部４を光軸Ｌ周りに回転させると、加速度センサ５８は変化後の姿勢の姿勢データを検出する。ＣＰＵ５５は、記憶部６２に記憶された基準姿勢の姿勢データを変化後の姿勢データに修正する。そして変化後の姿勢データと基準角度と基準姿勢の姿勢データとに基づいて、第２の指標７０の表示を変化させる。すなわち、レンズ１０が取り外されたときのレンズ着脱指標１６の角度位置を示すように第２の指標７０の表示を修正する。こうして、ＬＣＤ表示部３７に表示された第２の指標７０は、ボディ部４を光軸Ｌ周りに回転させても、撮影者から見ると常に同じ方向を指示することとなる。
【００４９】
図８は、第３実施形態において、レンズ１０とカメラ３０１のボディ部４との取り付け方法を示す図である。ボディ部４のマウント１３にレンズ１０を取り付ける時は、図８に示すように、ＬＣＤ表示部３７に表示された第１の指標６４の矢印と第２の指標７０の矢印とを目視し、これら２つの矢印を一致させるようにボディ部４もしくはレンズ１０を光軸Ｌ周りに回転させる。第１の指標６４の矢印と第２の指標７０の矢印とが一致して重なったら、レンズ１０とボディ部４との相互の角度位置関係を保ったまま、レンズ１０側のマウント２８とボディ側４のマウント１３とを係合させる。
【００５０】
次に、光軸Ｌが垂直方向を向いている場合について説明する。レンズ１０を地面や床に垂直に置いている状態のように、光軸Ｌが垂直方向を向いている姿勢でカメラ３０１のボディ部４からレンズ１０を取り外す場合は、レンズ１０を取り外したときのボディ部４が、垂直方向の光軸Ｌに対して光軸Ｌを中心軸としてどの方向にどれだけ回転しているのか、方位および方位角が磁界方位センサ６１によって検出される。検出されたデータは、レンズ１０取り外し時の基準姿勢の姿勢データとして記憶部６２に記憶される。ＣＰＵ５５は、記憶された基準姿勢の姿勢データと基準角度とに基づいて第２の指標７０を表示する。この段階で、第２の指標７０と、ボディ部４の正面７側のレンズ着脱指標１６の位置を示す第１の指標６４とは、同じ方向を指示している。すなわち、２つの矢印は重なっている。その後ボディ部４を光軸Ｌ周りに回転させると、磁界方位センサ６１は変化後の姿勢の姿勢データを検出する。ＣＰＵ５５は、記憶部６２に記憶された基準姿勢の姿勢データを変化後の姿勢データに修正する。そして変化後の姿勢データと基準角度と基準姿勢の姿勢データとに基づいて、第２の指標７０の表示を変化させる。すなわち、レンズ１０が取り外されたときのレンズ着脱指標１６の角度位置を示すように第２の指標７０の表示を修正する。こうして、ＬＣＤ表示部３７に表示された第２の指標７０は、ボディ部４を光軸Ｌ周りに回転させても、撮影者から見ると常に同じ方向を指示することとなる。
【００５１】
ボディ部４側のマウント１３にレンズ１０を取り付ける時は、光軸Ｌが水平方向を向いている場合と同様に、ＬＣＤ表示部３７に表示された第１の指標６４の矢印と第２の指標７０の矢印とを目視し、これら２つの矢印を一致させるようにボディ部４もしくはレンズ１０を光軸Ｌ周りに回転させる。第１の指標６４の矢印と第２の指標７０の矢印とが一致して重なったら、レンズ１０とボディ部４との相互の角度位置関係を保ったまま、レンズ１０側のマウント２８とボディ部４側のマウント１３とを係合させる。
【００５２】
このように、本実施形態によれば、レンズ１０をボディ部４の前に位置させた状態で、ボディ部４の正面７を覗き込まなくても背面３４側のＬＣＤ表示部３７の表示によりレンズ１０の取り付け位置を確認することができ、ボディ部４にレンズ１０を取り付けることができる。特に本実施形態は、レンズ１０が取り外されたときのレンズ着脱指標１６の角度位置を第２の指標７０が常に示しているので、光軸Ｌが水平方向または垂直方向になるように固定した大型のレンズ１０をボディ部４に取り付ける場合等に効果を発揮する。
【００５３】
なお、本実施形態においては、第１の指標６４および第２の指標７０は、レンズ１０がボディ部４のマウント１３に取り付けられていない状態で、且つカメラ３０１の電源がオンの状態のときにＬＣＤ表示部３７に表示されるようになっている。これについては、ＬＣＤ表示部３７に第１の指標６４と第２の指標７０だけを表示させるためのスイッチ７７を別途設けても良い（図８参照）。この場合、当該スイッチ７７は、撮影者が手でボディ部４を持った状態で、親指または人差し指で操作できる位置に設けると操作し易い構成となる。また、第１の指標６４と第２の指標７０とは同色で表示しても良いが、異なる色で表示させるとよりわかり易い表示となる。
【００５４】
次に、第３実施形態の変形例を説明する。第３実施形態の変形例は、ＬＣＤ表示部３７に表示される指標の表示形態が異なっている。
【００５５】
図９は、第３実施形態の変形例に係るカメラ４０１のＬＣＤ表示部３７の表示を示す図である。図９に示すように、本変形例においては、ＬＣＤ表示部３７には矢印７９と、円８２と、円８２の円周上の点８５とが表示されている。矢印７９は、第３実施形態における第１の指標６４と同様に、ボディ部４の正面７のレンズ着脱指標１６の位置を示している。円８２はレンズ１０の外周の形状を模式的に示し、円周上の点８５はレンズ１０の取り外し時のレンズ着脱指標１６の位置を示している。当該点８５の表示は、ボディ部４の姿勢を変化させても、円８２の円周上を移動して、上記第３実施形態における第２の指標７０と同様に、撮影者から見ると常に同じ方向に位置している。ＬＣＤ表示部３７の表示をこのような形態としても上記第３実施形態と同様の効果を発揮する。
【００５６】
以上で実施形態および変形例についての説明を終わるが、本発明は上記実施形態および変形例に限定されず適宜変形が可能である。
【符号の説明】
【００５７】
４  ボディ部
７  （ボディ部の）正面
１０  レンズ
１３  （カメラ側）マウント
１６  レンズ着脱指標
２２  鏡筒
２５  光学系
２８  （レンズ側）マウント
３１  着脱指標
３４  （ボディ部の）背面
３７  ＬＣＤ表示部
４０ａ、４０ｂ  指標
４９  傾斜面
５２  辺
５５  ＣＰＵ
５８  加速度センサ
６１  磁界方位センサ
６２  記憶部
６４  第１の指標
７０  第２の指標
７９  矢印
８２  円
８５  点
１０１、２０１、３０１、４０１  カメラ
【図１】
2012165183.tif 000003
【図２】
2012165183.tif 000004
【図３】
2012165183.tif 000005
【図４】
2012165183.tif 000006
【図５】
2012165183.tif 000007
【図６】
2012165183.tif 000008
【図７】
2012165183.tif 000009
【図８】
2012165183.tif 000010
【図９】
2012165183.tif 000011